(57)【要約】【課題】従業員がホール内をどのような順路で巡回しているかを把握できるようにする。【解決手段】パチンコ遊技機１０，・・・，１０のそれぞれの上方に位置する遊技機設置島Ａ１には、送信機２０，・・・，２０が１つずつ設置されている。従業員は、送信機２０にて送信される電波信号を受信する受信機を携帯している。送信機２０は、台番号データを含む電波信号を１ｍ範囲内に送信している。従業員が送信機２０に対して１ｍ範囲内に存することとなった場合には、受信機は、３０秒間隔で送信機２０から発信される電波信号を受信する。受信機は、送信機２０から送信されたこのパチンコ遊技機１０の台番号に対応する台番号データを含む電波信号を受信する。電波信号を受信した受信機は、受信した電波信号に含まれる台番号データを位置情報データとして時系列で記憶装置に記憶する。この位置情報データは、パソコンにて取出し可能となっている。【選択図】図１
2011030708.tif 000002
【特許請求の範囲】
【請求項１】
パチンコ遊技機やパチスロ遊技機等の遊技機が設置されるホールを管理するためのホール管理システムであって、
前記遊技機や遊技機設置島等の前記ホール内に設置されるホール設置品に取り付けられる固定側送受信機と、前記固定側送受信機に対して送受信可能に構成され且つ従業員が携帯する移動側送受信機とを備え、
前記固定側送受信機に対して所定範囲内に前記移動側送受信機が存する場合には、前記固定側送受信機および前記移動側送受信機の何れか一方から、前記固定側送受信機および前記移動側送受信機の何れか他方に、前記固定側送受信機に対して所定範囲内に前記移動側送受信機が存する旨の位置情報データを含む情報データを電波信号で送受信するようになっており、
前記電波信号を受信する前記固定側送受信機および前記移動側送受信機の何れか他方は、この受信した前記電波信号の前記情報データを時系列で記憶可能に構成されており、
この時系列で記憶された前記情報データは、前記電波信号を受信する前記固定側送受信機および前記移動側送受信機の何れか他方から取り出し可能となっていることを特徴とするホール管理システム。
【請求項２】
請求項１に記載のホール管理システムにおいて、
前記固定側送受信機は、前記電波信号を送信する機能を有した固定側送信機として構成されており、
前記移動側送受信機は、前記固定側送信機から送信される前記電波信号を受信する機能を有した移動側受信機として構成されていることを特徴とするホール管理システム。
【請求項３】
請求項１または請求項２に記載のホール管理システムにおいて、
前記電波信号の受信は、所定時間間隔で行われるように設定されていることを特徴とするホール管理システム。
【請求項４】
請求項１から請求項３の何れかに記載のホール管理システムにおいて、
前記電波信号の受信は、前記移動側送受信機を携帯する従業員の所定操作に応じて行われるように設定されていることを特徴とするホール管理システム。
【請求項５】
請求項１から請求項４の何れかに記載のホール管理システムにおいて、
取り出された前記情報データは、該情報データと相違する関連データと照合し所定条件で一致あるいは不一致の判定をする判定処理と、該判定処理による判定結果を目視識別可能に識別表示をする表示処理とがされることを特徴とするホール管理システム。
【発明の詳細な説明】
【技術分野】
【０００１】
本発明は、パチンコ遊技機やパチスロ遊技機等の遊技機が設置される遊技店（以下、ホール）内を管理するためのホール管理システムに関する。
【背景技術】
【０００２】
パチンコ遊技機やパチスロ遊技機等の遊技機が設置されるホール内では、不具合が生じた遊技機を直したり、遊技者に各種のサービスを行ったりするために、従業員が巡回している。
ところで、このようなホール内を管理するホール管理側からは、上記したようにホール内を巡回する従業員が、適切に上記した作業をしているかを管理するシステムを求める声がある。このため、ホール内を巡回する従業員が、どのような作業をしたかを把握するための管理システムが知られている（例えば、特許文献１参照）。この特許文献１にて開示される管理システムにあっては、ホール管理側は、従業員がどのような作業をしたかが分かるように、従業員の作業情報を収集管理することができるようになっている。
【先行技術文献】
【特許文献】
【０００３】
【特許文献１】特開２００７−２６０４１５
【発明の概要】
【発明が解決しようとする課題】
【０００４】
しかしながら、昨今においては、ホール管理側から、上記したような従業員の作業情報のほか、従業員がホール内をどのような順路で巡回しているかを把握しておきたいという要請がある。
【０００５】
本発明は、このような事情に鑑みなされたものであって、本発明が解決しようとする課題は、遊技機が設置されるホールを管理するためのホール管理システムであって、従業員がホール内をどのような順路で巡回しているかを把握できるようにすることにある。
【課題を解決するための手段】
【０００６】
上記した課題を解決するにあたって本発明に係るホール管理システムは、次の手段を採用する。
すなわち、本発明の第１の発明に係るホール管理システムは、パチンコ遊技機やパチスロ遊技機等の遊技機が設置されるホールを管理するためのホール管理システムであって、前記遊技機や遊技機設置島等の前記ホール内に設置されるホール設置品に取り付けられる固定側送受信機と、前記固定側送受信機に対して送受信可能に構成され且つ従業員が携帯する移動側送受信機とを備え、前記固定側送受信機に対して所定範囲内に前記移動側送受信機が存する場合には、前記固定側送受信機および前記移動側送受信機の何れか一方から、前記固定側送受信機および前記移動側送受信機の何れか他方に、前記固定側送受信機に対して所定範囲内に前記移動側送受信機が存する旨の位置情報データを含む情報データを電波信号で送受信するようになっており、前記電波信号を受信する前記固定側送受信機および前記移動側送受信機の何れか他方は、この受信した前記電波信号の前記情報データを時系列で記憶可能に構成されており、この時系列で記憶された前記情報データは、前記電波信号を受信する前記固定側送受信機および前記移動側送受信機の何れか他方から取り出し可能となっていることを特徴とする。なお、この所定範囲内としては、例えば０．５ｍ〜５ｍ等の、適宜の範囲にて設定されるものである。
【０００７】
このホール管理システムによれば、電波信号を受信した固定側送受信機および移動側送受信機の何れか他方は、この受信した電波信号に含まれる情報データを時系列で記憶し、この時系列で記憶された情報データは、電波信号を受信する固定側送受信機および移動側送受信機の何れか他方から取り出し可能となっているので、時系列で記憶される情報データとなる位置情報データを取り出して参照することによって、ホール管理側は、従業員がホール内のどのような位置を時系列的に辿ったかを把握することができる。すなわち、ホール管理側は、従業員がホール内をどのような順路で巡回しているかを把握することができる。
【０００８】
第２の発明に係るホール管理システムは、前記第１の発明に係るホール管理システムにおいて、前記固定側送受信機は、前記電波信号を送信する機能を有した固定側送信機として構成されており、前記移動側送受信機は、前記固定側送信機から送信される前記電波信号を受信する機能を有した移動側受信機として構成されていることを特徴とする。
このホール管理システムによれば、固定側送受信機は、電波信号を送信する機能を有した固定側送信機として構成されており、移動側送受信機は、固定側送信機から送信される電波信号を受信する機能を有した移動側受信機として構成されているので、この移動側受信機が受信した電波信号の情報データを時系列で記憶し、この時系列で記憶された情報データを移動側受信機から取り出すこととなる。
これによって、固定側送受信機となる固定側送信機は、単に位置情報データを所定範囲内に送信し続けるだけの構成とすることができる。また、時系列で記憶された情報データを取り出すには、移動側受信機に対して行えば良いものとなり、従業員ごとの業務終了ごとに情報データの取出しを行うことができるので便利である。
【０００９】
第３の発明に係るホール管理システムは、前記第１の発明または前記第２の発明に係るホール管理システムにおいて、前記電波信号の受信は、所定時間間隔で行われるように設定されていることを特徴とする。なお、この所定時間としては、例えば０．０５秒〜６０秒等の、適宜の時間間隔となる時間にて設定されるものである。
このホール管理システムによれば、電波信号の受信は、所定時間間隔で行われるように設定されているので、情報データの時系列での記憶は、所定時間間隔ごとの記憶にてなされることとなり、記憶される容量を断片的な小さいものとすることができる。
これによって、情報データを時系列で記憶するにあたって、記憶媒体への負担を減らすことができ、受信側の構成を簡素化することができる。
【００１０】
第４の発明に係るホール管理システムは、前記第１の発明から前記第３の発明の何れかに係るホール管理システムにおいて、前記電波信号の受信は、前記移動側送受信機を携帯する従業員の所定操作に応じて行われるように設定されていることを特徴とする。なお、この所定操作としては、例えば、パチンコ遊技機の中枠やガラス枠を開ける操作（開操作）等が挙げられ、主として遊技機内部を調整するにあたって遊技機枠開操作にて設定されるものである。また、この所定操作は、このような遊技機枠開操作のほか、適宜の遊技者へのサービス的な操作が含まれるものであってもよい。
このホール管理システムによれば、電波信号の受信は、移動側送受信機を携帯する従業員の所定操作に応じて行われるように設定されているので、ホール管理側は、時系列で記憶される情報データを取り出して参照することによって、従業員がどの遊技機に対して遊技機枠開操作等の所定操作を行ったかを把握することができる。
【００１１】
第５の発明に係るホール管理システムは、前記第１の発明から前記第４の発明の何れかに係るホール管理システムにおいて、取り出された前記情報データは、該情報データと相違する関連データと照合し所定条件で一致あるいは不一致の判定をする判定処理と、該判定処理による判定結果を目視識別可能に識別表示をする表示処理とがされることを特徴とする。
このホール管理システムによれば、取り出された情報データは、情報データと相違する関連データと照合し所定条件で一致あるいは不一致の判定をする判定処理と、判定処理による判定結果を目視識別可能に識別表示をする表示処理とがされるので、ホール管理側は、この識別表示を目視するだけで、取り出された情報データが関連データと所定条件で一致となっているのか或いは不一致となっているのかを瞬時に判別することができる。
これによって、ホール管理側は、適宜の情報照合作業を行うことなく、分かり易く判別できて便利である。
【発明の効果】
【００１２】
第１の発明に係るホール管理システムによれば、ホール管理側は、従業員がホール内をどのような順路で巡回しているかを把握することができる。
第２の発明に係るホール管理システムによれば、時系列で記憶された情報データを取り出すには、移動側受信機に対して行えば良いものとなり、従業員ごとの業務終了ごとに情報データの取出しを行うことができるので便利である。
第３の発明に係るホール管理システムによれば、情報データを時系列で記憶するにあたって、記憶媒体への負担を減らすことができ、受信側の構成を簡素化することができる。
第４の発明に係るホール管理システムによれば、ホール管理側は、従業員がどのような位置で遊技機枠開操作等の所定操作を行ったかを把握することができる。
第５の発明に係るホール管理システムによれば、ホール管理側は、適宜の情報照合作業を行うことなく、分かり易く判別できて便利である。
【図面の簡単な説明】
【００１３】
【図１】パチンコ遊技機が設置される遊技機設置島を概略的に示す正面図である。
【図２】送信機を示す斜視図である。
【図３】図２のＩＩＩ−ＩＩＩ断面矢視の送信機を示す断面図である。
【図４】受信機を示す斜視図である。
【図５】図４のＶ−Ｖ断面矢視の受信機を示す断面図である。
【図６】送信機および受信機の構成を示すブロック図である。
【図７】受信機が送信機に対して受信範囲内に存する旨の電波信号を受信して記憶するフローを示すフローチャートである。
【図８】受信機が開操作に応じた旨の電波信号を受信して記憶するフローを示すフローチャートである。
【図９】受信機から取り出された時系列で記憶された位置情報データ（台番号データ）に関するタイムテーブルである。
【図１０】図９に示すタイムテーブルに基づき、パソコンにて表示処理がなされたホール内の状態を示すパソコンの表示画面である。
【図１１】受信機から取り出された時系列で記憶された従業員開操作情報データ（検出データ）および位置情報データ（台番号データ）に関するタイムテーブルである。
【図１２】図１１に示すタイムテーブルに基づき、中枠開操作に関してパソコンにて判定処理および表示処理がなされたホール内の状態を示すパソコンの表示画面である。
【図１３】図１１に示すタイムテーブルに基づき、ガラス枠開操作に関してパソコンにて判定処理および表示処理がなされたホール内の状態を示すパソコンの表示画面である。
【発明を実施するための形態】
【００１４】
以下、本発明を実施するための実施の形態について、図面を参照しながら説明する。
図１は、パチンコ遊技機１０が設置される遊技機設置島Ａ１を概略的に示す正面図である。すなわち、図１に示すように、遊技機設置島Ａ１には、パチンコ遊技１０，１０，１０，１０が複数（図示では４台）横並びにて設置されている。このパチンコ遊技機１０は、この遊技機設置島Ａ１に直接的に設置されている外枠１１と、この外枠１１に開閉可能に固定され中枠１２と、この中枠１２にて固定支持される遊技盤１３と、この中枠１２に開閉可能に固定されるガラス枠１４とを備える。なお、遊技盤１３内には発射装置１５にて遊技球が発射される。
【００１５】
パチンコ遊技機１０は、このパチンコ遊技機１０の内部の調整をするに際して、外枠１１に対して中枠１２およびガラス枠１４が開操作されたか否かを検出可能に構成されている。具体的には、中枠１２およびガラス枠１４が開操作されて開けられた場合には、この開けられたことを検出する中枠開操作検出用センサ１２Ｓおよびガラス枠開操作検出用センサ１４Ｓが設置されている。これら中枠開操作検出用センサ１２Ｓおよびガラス枠開操作検出用センサ１４Ｓは、中枠１２およびガラス枠１４が開操作されて開けられた場合に、この開けられたことを検出可能に構成されるものである。具体的には、中枠開操作検出用センサ１２Ｓおよびガラス枠開操作検出用センサ１４Ｓは、適宜の接点スイッチやフォトセンサが用いられて構成されるものであり、中枠１２およびガラス枠１４が開けられたことを検出可能に構成され、中枠１２およびガラス枠１４が開けられた場合には、後に説明する送信機２０に対して開けられた旨の検出信号を送信するように配線されている。
なお、上記したパチンコ遊技機１０，１０，１０，１０のそれぞれには、管理の観点から、横並びに設置されるパチンコ遊技機１０，１０，１０，１０のそれぞれを特定するために、ホール内において個別特定する重複しない台番号が振られている。また、図１に示すように、上記した各パチンコ遊技機１０，１０，１０，１０の上方には、従業員を呼び出すための呼出し装置１６が設置されるとともに、個別特定する台番号が振られた台番号プレート１７も視認可能に設置されている。
【００１６】
ところで、上記したパチンコ遊技機１０，１０，１０，１０のそれぞれの上方に位置する遊技機設置島Ａ１には、図１の破線にて示すように、送信機２０，２０，２０，２０が１つずつ設置されている。この送信機２０は、後に説明する受信機３０とともに、このようなパチンコ遊技機１０，１０，１０，１０が設置されるホールを管理するためのホール管理システムに利用されるものである。つまり、本発明を実施する形態となるホール管理システムは、少なくとも、固定側送信機（固定側送受信機）に相当する送信機２０と、移動側受信機（移動側送受信機）に相当する受信機３０とを備えて構成される。また、送信機２０は、このようなパチンコ遊技機１０，１０，１０，１０が設置される遊技機設置島Ａ１に取り付けられる固定側送信機（固定側送受信機）に相当するものである。なお、この遊技機設置島Ａ１は、ホール内に設置される本発明に係るホール設置品に相当するものである。
【００１７】
図２は、送信機２０を示す斜視図である。図３は、図２のＩＩＩ−ＩＩＩ断面矢視の送信機２０を示す断面図である。また、図６は、この送信機２０および後に説明する受信機３０の構成を示すブロック図である。図２、図３、図６に示すように、送信機２０は、ケース２１内部に制御基板２２が設けられて構成される。この制御基板２２は、特に図示していないが、適宜に制御処理を行うためのＣＰＵ（Central Processing Unit）、ＲＯＭ（Read Only Memory）、ＲＡＭ（Random Access Memory）が搭載されている。また、この制御基板２２には、制御処理に基づき所定範囲内となる１ｍ範囲内に電波信号を送信する電波送信装置２３が接続されている。この電波送信装置２３は、後に説明する受信機３０に受信させる電波信号を発信するものであり、適宜の周波数で１ｍ範囲内に発信可能に構成されている。この発信される電波信号は、制御基板２２の制御処理に基づき制御処理された内容に沿ったものとなっており、具体的には後に説明する検出用センサから送られてくる検出信号にしたがって形成された受信機３０から、従業員開操作情報データ（検出データ）と位置情報データ（台番号データ）とを含む電波信号となっている。
【００１８】
ところで、制御基板２２は、送られてくる検出信号に基づき、所定の制御処理を行って、上記した電波送信装置２３にて電波信号を発信するように構成されている。このため、制御基板２２には、電力を供給するために外部電源を接続するための電源コネクタ２４と、停電時電力を確保するための予備用バッテリ２５と、上記した中枠開操作検出用センサ１２Ｓおよびガラス枠開操作検出用センサ１４Ｓと接続するためのコネクタ２６，２７とが配設されている。なお、このコネクタ２６，２７は、一方は中枠開操作検出用センサ１２Ｓを接続するためのコネクタ２６となっており、他方はガラス枠開操作検出用センサ１４Ｓを接続するためのコネクタ２７となっている。
このように構成される送信機２０は、遊技機設置島Ａ１に設置されるにあたって、パチンコ遊技機１０，１０，１０，１０のそれぞれの内部上方において１つずつ設置されるものであり、制御基板２２の制御処理に基づいて電波信号を発信するものとなっている。このため、この送信機２０にて発信される電波信号の内容としては、上記した中枠開操作検出用センサ１２Ｓおよびガラス枠開操作検出用センサ１４Ｓから送られてくる検出信号に対応した検出データと、この送信機２０が設置されている下方に位置するパチンコ遊技機１０の台番号に対応した台番号データとが含まれるものとなっている。なお、このパチンコ遊技機１０の台番号に対応した台番号データは、ホール内で個別特定されたパチンコ遊技機１０の台番号に対応するものであるため、ホール内の位置を把握する本発明に係る位置情報データに相当するものとなっている。
【００１９】
次に、上記した送信機２０にて発信された電波信号を受信する受信機３０について説明する。受信機３０は、本発明に係る移動側受信機（移動側送受信機）に相当するものであり、ホール内の従業員が携帯するものとなっている。
図４は、受信機３０を示す斜視図である。図５は、図４のＶ−Ｖ断面矢視の受信機３０を示す断面図である。図４、図５、図６に示すように、受信機３０は、ケース３１内部に制御基板３２が設けられて構成される。この制御基板３２は、特に図示していないが、適宜に制御処理を行うためのＣＰＵ、ＲＯＭ、ＲＡＭが搭載されている。また、この制御基板３２には、上記した送信機２０にて送信される電波信号を受信する電波受信装置３３が接続されている。この電波受信装置３３は、上記した送信機２０にて発信される電波信号を受信するように構成されるものである。
ところで、制御基板３２は、上記した電波受信装置３３にて受信した電波信号に基づき、所定の制御処理を行って情報データを形成し、この情報データを記憶装置３４に記憶するように構成されている。このため、制御基板３２には、情報データを記憶するための記憶装置３４と、電力を供給するために電力供給バッテリ３５と、この電力の供給をオンオフするスイッチ３６と、情報データを記憶するにあたって情報データ取得時間を関連付けさせるクロック３７と、この記憶装置３４から情報データを取り出すためのＵＳＢ（Universal Serial Bus）接続装置３８とが配設されている。なお、上記した電波受信装置３３は、所定時間間隔としての例えば３０秒間隔で、上記した送信機２０から発信される電波信号を受信するようになっている。
【００２０】
情報データは、上記したように制御基板に３２により電波信号に含まれる検出データおよび台番号データとに基づいて形成されるものであるが、この形成された情報データは、クロック３７から取得される情報データ取得時間が関連付けられて記憶装置３４に記憶されるようになっている。このため、記憶装置３４に対して記憶される情報データは、時系列で記憶されることとなっている。また、この情報データを記憶装置３４に記憶する場合には、受信機３０を個別特定するための受信機番号も同時に記憶するようになっている。このため、この受信機３０から情報データが取り出される場合には、この情報データを取り出す受信機３０を特定できる情報に関しても取り出されるようになっている。なお、この情報データを取り出すにあたっては、上記した接続ケーブルを介してＵＳＢ接続装置３８にパソコンを接続し、時系列で記憶された情報データ（位置情報データ等を含む）を取り出すものとなっている。
【００２１】
上記したように構成される受信機３０は、図７に示すようなフローによって、送信機２０から発信された電波信号を受信して記憶するようになっている。図７は、受信機３０が送信機２０に対して受信範囲内に存する旨の電波信号を受信して記憶するフローを示すフローチャートである。
送信機２０は、図７におけるステップＳ１１に示すように、常時、本発明に係る位置情報データに相当する台番号データを含む電波信号を、１ｍ範囲内に送信している。このため、従業員が携帯する受信機３０が、この送信機２０に対して１ｍ範囲内に存することとなった場合には、ステップＳ１２に示すように、受信機３０は３０秒間隔で送信機２０から発信される電波信号を受信することとなる。つまり、受信機３０を携帯する従業員が特定のパチンコ遊技機１０に対して接近した場合には、この受信機３０は、この特定のパチンコ遊技機１０の上方に設置される送信機２０から、この特定のパチンコ遊技機１０の台番号に対応する台番号データを含む電波信号を、３０秒間隔で受信することとなる。次いで、受信機３０は、ステップＳ１３に示すように、受信した電波信号に含まれる台番号データを位置情報データとして時系列で記憶装置３４に記憶する。
このようにして、受信機３０は、記憶装置３４に情報データとしての位置情報データを時系列で記憶し、接続ケーブルを介してＵＳＢ接続装置３８にパソコンを接続することにより、この時系列で記憶された位置情報データ（台番号データ）を含む情報データを取り出すことができるようになっている。
【００２２】
ところで、上記した受信機３０が送信機２０から発信される電波信号を受信するにあたっては、この受信機３０を携帯する従業員の所定操作に応じても行われるように設定されている。すなわち、上記した受信機３０は、所定操作としてのパチンコ遊技機１０の内部を調整するにあたってのパチンコ遊技機枠（中枠１２，ガラス枠１４）開操作に応じても、送信機２０から発信される電波信号を受信するように設定されている。具体的には、上記した受信機３０は、パチンコ遊技機１０の内部を調整するにあたっての中枠１２およびガラス枠１４の開操作を検出する中枠開操作検出用センサ１２Ｓおよびガラス枠開操作検出用センサ１４Ｓから送られてくる検出信号に基づき、送信機２０から発信される電波信号を受信するように設定されている。
図８は、受信機３０が開操作に応じた旨の電波信号を受信して記憶するフローを示すフローチャートである。なお、このパチンコ遊技機枠の開操作には、パチンコ遊技機１０の内部を調整するにあたっての、中枠１２に対する開操作およびガラス枠１４に対する開操作の双方の開操作を含むが、これらの開操作に応じた旨の電波信号を受信して記憶するフローについては同様なフローとなる。このため、以下においては、中枠１２およびガラス枠１４を総じて回動枠と称して、この回動枠の開操作として総じて述べることとする。
【００２３】
すなわち、送信機２０は、図８におけるステップＳ２１に示すように、まず、回動枠を開操作したか否かが判断される。なお、このような回動枠が開操作されたか否かの判断は、上記したように中枠１２およびガラス枠１４の開操作を検出する中枠開操作検出用センサ１２Ｓおよびガラス枠開操作検出用センサ１４Ｓから、開操作された旨の検出信号が制御基板２２に送られたか否かで判断される。ちなみに、このような回動枠が開操作される場合には、上記した受信機３０は、従業員が携帯する受信機３０が、この送信機２０に対して１ｍ範囲内に存するので、受信機３０は送信機２０から発信される電波信号を受信可能となっている。なお、中枠１２およびガラス枠１４の回動枠を従業員が開操作していない場合には、繰り返し、この判断がなされることとなる（ステップＳ２１）。
このステップＳ２１で、中枠開操作検出用センサ１２Ｓおよびガラス枠開操作検出用センサ１４Ｓから、開操作された旨の検出信号が制御基板２２に送られた場合には、制御基板２２は、中枠１２およびガラス枠１４の回動枠を従業員が開操作したものと判断する。そうすると、ステップＳ２２に示すように、送信機２０は、所定の制御処理に基づき、従業員開操作情報データ（検出データ）と位置情報データ（台番号データ）とを含む電波信号を送信する。ここで、受信機３０は、上記したように開操作を行っているので送信機２０に対して１ｍ範囲内に存しており、電波信号受信可能状態となっている。なお、従業員開操作情報データ（検出データ）を含む電波信号に限っては、受信機３０は上記したような３０秒の時間間隔に拠ることなく強制的に受信するものとなっている。次いで、受信機３０は、ステップＳ２３に示すように、受信した電波信号に含まれる従業員開操作情報データ（検出データ）と位置情報データ（台番号データ）とを情報データとして時系列で記憶装置３４に記憶する。
このようにして、受信機３０は、記憶装置３４に情報データとしての従業員開操作情報データ（検出データ）と位置情報データ（台番号データ）とを時系列で記憶し、接続ケーブルを介してＵＳＢ接続装置３８にパソコンを接続することにより、この時系列で記憶された位置情報データを含む情報データを取り出すことができるようになっている。
【００２４】
上記したように受信機３０からパソコンに取り出した情報データは、次のようにタイムテーブル化（表形式表示化）されて表記される。図９は、受信機３０から取り出された時系列で記憶された位置情報データ（台番号データ）に関するタイムテーブルである。また、図１０は、図９に示すタイムテーブルに基づき、パソコンにて表示処理がなされたホール内の状態を示すパソコンの表示画面である。なお、この図１０（図１２および図１３も同様）にて示されるパソコンの表示画面は、パチンコ遊技機１０の台番号を遊技機設置島を模して表示するものであり、この遊技機設置島に模して表示される遊技機設置島の間が人の通る通路となっている。このため、従業員を表示するにあたっては、この通路に表示される。
すなわち、図９に示すように、受信機番号および台番号データが、３０秒間隔の時間経過でテーブル化されていると、この受信機３０を携帯していた従業員が３０秒間隔でホール内のどこにいたかを知ることができる。また、図１０に示すように、図９に示すタイムテーブルに基づきパソコンにて表示処理を行うと、受信機３０を携帯していた従業員が、３０秒間隔でホール内のどこにいたかを順次表示することができる。つまり、受信機３０から取り出された時系列で記憶された従業員開操作情報データ（検出データ）および位置情報データ（台番号データ）に基づいて表示処理すると、受信機３０を携帯していた従業員が、３０秒間隔でホール内のどこにいたかを時間経過に沿って順次表示することとなる。なお、図１０においては、従業員の位置の順序を示すように番号が付されている。
このようにホール管理システムを構成した場合には、時系列で記憶される情報データとなる位置情報データを取り出して参照することによって、ホール管理側は、従業員がホール内のどのような位置を時系列的に辿ったかを把握することができる。すなわち、ホール管理側は、従業員がホール内をどのような順路で巡回しているかを把握することができる。
また、上記した送信機２０は電波信号を送信する機能を有して構成されており、受信機３０は送信機２０から送信される電波信号を受信する機能を有して構成されているので、この受信機３０が受信した電波信号の情報データを時系列で記憶し、この時系列で記憶された情報データを受信機３０から取り出すことができる。これによって、送信機２０は、単に位置情報を所定範囲内に送信し続けるだけの構成とすることができる。また、時系列で記憶された情報データを取り出すには、受信機３０に対して行えば良いものとなり、従業員ごとの業務終了ごとに情報データの取出しを行うことができるので便利である。
また、上記した電波信号の受信は、３０秒間隔で行われるように設定されているので、情報データの時系列での記憶は、３０秒間隔ごとの記憶にてなされることとなり、記憶される容量を断片的な小さいものとすることができる。これによって、情報データを時系列で記憶するにあたって、記憶媒体への負担を減らすことができ、受信側の構成を簡素化することができる。
【００２５】
また、受信機３０からパソコンに取り出した情報データは、次のようにもタイムテーブル化されて表記されるものとなっている。図１１は、受信機３０から取り出された時系列で記憶された従業員開操作情報データ（検出データ）および位置情報データ（台番号データ）に関するタイムテーブルである。図１２は、図１１に示すタイムテーブルに基づき、中枠開操作に関してパソコンにて判定処理および表示処理がなされたホール内の状態を示すパソコンの表示画面である。図１３は、図１１に示すタイムテーブルに基づき、ガラス枠開操作に関してパソコンにて判定処理および表示処理がなされたホール内の状態を示すパソコンの表示画面である。
すなわち、図１１に示すように、受信機番号、台番号データ、中枠１２に対しての従業員開操作の有無、ガラス枠１４に対しての従業員開操作の有無が、時間経過でテーブル化されていると、この受信機３０を携帯していた従業員が、どのパチンコ遊技機１０の遊技枠を開操作したかを知ることができる。なお、このタイムテーブルの記載においては、「中枠１２に対しての従業員開操作」は「中枠開」で表記されており、「ガラス枠１４に対しての従業員開操作」は「ガラス枠開」で表記されており、開操作が有った場合は「１」と表記されており、開操作が無かった場合は「０」と表記されている。
【００２６】
また、図１１に示すタイムテーブルでは、上記した受信機３０から取り出された情報データとは相違する関連データもテーブル化されている。この関連データは、ホールを管理するにあたって、従来の形式により利用されている検出装置にて検出された検出データにて構成されるものである。なお、この検出装置は、従前より利用されているパチンコ遊技機１０に対して個別に設置されて検出されるものであり、この検出データはホールコンピュータに送られる。なお、この検出データは、上記した受信機３０から取り出される情報データと同様に、中枠１２およびガラス枠１４の開操作を表記するものとなっているが、この開操作は従業員に拠るものに限られない点で、上記した受信機３０から取り出される情報データと相違するものである。
このため、図１１に示すタイムテーブルでは、受信機３０から取り出される情報データと、ホールコンピュータに送られる検出データとを、時系列で照合することができるようになっている。なお、図１１に示すタイムテーブルでは、時間が１３：２２：００の時点では、検出データとなる関連データでは、２３８番台の中枠１２は開操作されたと検出されているが、情報データでは、２３８番台の中枠１２に対しての従業員開操作が有ったというデータは存在していない。つまり、この時間が１３：２２：００の時点では、２３８番台の中枠１２は、従業員以外の者が不正に開操作したものと判定できることとなる。
【００２７】
次に、図１２および図１３に示すように、図１０と同様、図１１に示すタイムテーブルに基づきパソコンにて表示処理を行うと、受信機３０（受信機番号：１）を携帯していた従業員が、どこのパチンコ遊技機１０に対して開操作を行ったのかを表示することができる。なお、図１２が中枠１２に対する開操作に関する図であり、図１３がガラス枠１４に対する開操作に関する図である。また、図中の通路に付されている番号は受信機番号を示すものである。つまり、上記した図１０と同様、図１２および図１３では、受信機３０から取り出された時系列で記憶された従業員開操作情報データ（検出データ）および位置情報データ（台番号データ）に基づいて表示処理すると、受信機３０を携帯して遊技機枠（中枠１２，ガラス枠１４）を開操作した従業員が、ホール内のどこにいたかを時間経過に沿って順次表示することができる。
さらに、これら図１２および図１３に示すように表示するパソコンでは、上記した受信機３０から取り出される情報データ（従業員開操作情報データ、位置情報データ）のほか、ホールコンピュータに送られる検出データも、これに基づいて表示処理している。このため、図１２および図１３に示すように、ホールコンピュータに送られる検出データ（関連データ）も、該当する台番号を着色して示してあり（図示では斜線が付されてある）、中枠１２およびガラス枠１４の単なる開操作を表示するものとなっている。この単なる開操作の表示も、時間経過に沿って順次表示することができる。
加えて、これら図１２および図１３に示すように表示するパソコンでは、上記した受信機３０から取り出される情報データ（従業員開操作情報データ（検出データ）および位置情報データ（台番号データ））と、ホールコンピュータに送られる検出データ（関連データ）とが、ともに同じ時間で開操作されたという条件で一致あるいは不一致の判定をする判定処理と、この判定処理による不一致となる判定結果を目視識別可能に識別表示をする表示処理をしている。具体的には、上記したタイムテーブルの時系列での照合のように、一致あるいは不一致の判定をしており、判定処理による不一致となる判定結果を目視識別可能に強調する識別表示をしている。なお、図示における強調する識別表示では、台番号を「２３８番台を○印で囲む」ようにして強調表示するとともに、下右方に、＜Ｗａｒｎｉｎｇ＞‘２３８’と注意喚起する台番号を示している。
【００２８】
上記したように電波信号の受信は、受信機３０を携帯する従業員の中枠１２およびガラス枠１４の開操作に応じて行われるように設定されていると、ホール管理側は、この時系列で記憶される情報データを取り出して参照することによって、従業員がどのようにパチンコ遊技機１０に対して、中枠１２あるいはガラス枠１４の開操作を行ったかを把握することができる。
また、上記したように受信機３０から取り出される情報データ（従業員開操作情報データ（検出データ）および位置情報データ（台番号データ））と、ホールコンピュータに送られる検出データ（関連データ）とが、ともに同じ時間で開操作されたという条件で一致あるいは不一致の判定をする判定処理と、この判定処理による不一致となる判定結果を目視識別可能に識別表示をする表示処理をしていると、ホール管理側は、この識別表示を目視するだけで、取り出された情報データが関連データと所定条件で一致となっているのか或いは不一致となっているのかを瞬時に判別することができる。これによって、ホール管理側は、適宜の情報照合作業を行うことなく、分かり易く判別できて便利である。加えて、上記した図１２における「２３８番台」のように強調表示したり、注意喚起するように台番号を示したりするようにしてあると、従業員以外の者が不正に開操作したものと判定するにあたって、一目瞭然のものとなって有利である。
【００２９】
なお、本発明に係るホール管理システムにあっては、上記した実施の形態に限定されるものではなく、本発明の要旨を変更しない範囲で適宜に変更することができる。
例えば、上記した実施の形態における送信機２０は、パチンコ遊技機１０に対する上方に位置する遊技機設置島に設置されるものとなっていた。しかしながら、本発明に係るホール管理システムにあっては、これに限定されることなく、パチスロ遊技機に対する上方に設置される遊技機設置島に設置されるものであってもよい。また、この送信機の設置個所としては、遊技機設置島に対してではなく、パチンコ遊技機自体やパチスロ遊技機自体に対して設置されるものであってもよい。また、この送信機の設置数としては、各１台の遊技機に対して各１機の送信機を取り付けることに限定されることなく、複数台の遊技機に対して各１機の送信機を取り付けるものであってもよい。さらに言えば、この送信機は、このような遊技機設置島や遊技機自体に対するもの以外となる、例えば、玉替機、両替機、出玉カウンタ機等のホール内に設置されるホール設置品に対して設置されるものであってもよい。なお、巡回する従業員は遊技機以外にも、玉替機、両替機、出玉カウンタ機等も管理しているので、このような管理対象物に対しての開操作等の所定操作の情報データも取得できるようになっていると、ホール管理の観点から、より優れたものとなる。
また、上記した実施の形態においては、ホール内に設置されるホール設置品に取り付けられる固定側送受信機の例として送信機２０を挙げ、従業員が携帯する移動側送受信機の例として受信機３０を挙げるものであった。しかしながら、本発明に係るホール管理システムにあっては、これに限定されることなく、ホール内に設置されるホール設置品に取り付けられる固定側送受信機を電波信号を受信する機能を有した構成としたり、従業員が携帯する移動側送受信機を送信する機能を有した構成としたりするものであってもよい。この場合には、ホール設置品に取り付けられる固定側送受信機側から情報データを取り出すこととなる。
【００３０】
また、上記した実施の形態における電波信号の受信範囲は、所定範囲内となる１ｍ範囲内とするものであった。しかしながら、本発明に係るホール管理システムにおける所定範囲内としては、これに限定されることなく、例えば０．５ｍ〜５ｍ等の、適宜の範囲にて設定されるものであってよい。なお、この範囲としては、受信精度を上げるために、他の送信機の送信範囲と重なり過ぎない程度であることが望ましい。
また、上記した実施の形態における電波信号の受信間隔は、所定時間間隔となる３０秒に設定されて行われるものであった。しかしながら、本発明に係るホール管理システムにおける所定時間間隔としては、これに限定されることなく、例えば０．０５秒〜６０秒等の適宜の時間間隔を選択することができる。なお、この時間間隔は、情報データの精密性と取得されるデータ容量の大きさを鑑みて設定されるべきものである。
また、上記した実施の形態における従業員の所定操作としては、パチンコ遊技機１０の中枠１２やガラス枠１４を開ける操作（開操作）とするものであった。しかしながら、本発明に係るホール管理システムにおける従業員の所定操作としては、このような開操作に限定されるものではなく、客対応サービスに応じるために呼出し装置１６をオフ操作する操作等であってもよく、また、玉替機、両替機、出玉カウンタ機等に対する各種操作等であってもよい。
また、上記した実施の形態における関連データとしては、従来の形式により利用されている検出装置にて検出されホールコンピュータに送られる検出データとしていた。しかしながら、本発明に係るホール管理システムにおける関連データとしては、これに限定されることなく、上記した実施の形態のように従業員が携帯する受信機３０等の機器以外で個別に検出される検出データであればよいものである。
また、上記した実施の形態における判定結果を目視識別可能に識別表示をする表示処理としては、台番号を「２３８番台を○印で囲む」ようにして強調表示するとともに、下右方に、＜Ｗａｒｎｉｎｇ＞‘２３８’と注意喚起する台番号を示すものであった。しかしながら、本発明に係るホール管理システムにおける表示処理としては、これに限定されることなく、目視識別可能に識別表示をするものであれば、適宜の態様を選択することができる。
【符号の説明】
【００３１】
１０  パチンコ遊技機（遊技機）
１１  外枠
１２  中枠
１２Ｓ  中枠開操作検出用センサ
１３  遊技盤
１４  ガラス枠
１４Ｓ  ガラス枠開操作検出用センサ
１５  発射装置
１６  呼出し装置
１７  台番号プレート
２０  送信機（固定側送信機，固定側送受信機）
２１  ケース
２２  制御基板
２３  電波送信装置
２４  電源コネクタ
２５  予備用バッテリ
２６，２７  コネクタ
３０  受信機（移動側受信機，移動側送受信機）
３１  ケース
３２  制御基板
３３  電波受信装置
３４  記憶装置
３５  電力供給バッテリ
３６  スイッチ
３７  クロック
３８  ＵＳＢ接続装置
Ａ１  遊技機設置島
【図１】
2011030708.tif 000003
【図２】
2011030708.tif 000004
【図３】
2011030708.tif 000005
【図４】
2011030708.tif 000006
【図５】
2011030708.tif 000007
【図６】
2011030708.tif 000008
【図７】
2011030708.tif 000009
【図８】
2011030708.tif 000010
【図９】
2011030708.tif 000011
【図１０】
2011030708.tif 000012
【図１１】
2011030708.tif 000013
【図１２】
2011030708.tif 000014
【図１３】
2011030708.tif 000015